(57)【要約】【課題】  効率良く確実に売上処理がなされるＩＣカードリードライト用携帯端末を得る。【解決手段】  ＩＣカードリードライト用携帯端末について、キーボードとカードリーダライタとバーコード読取装置と表示部とを一体に備える。これにより、例えば店舗等での決済について顧客がＩＣカード８を利用する際には、ＩＣカード８がＩＣカード挿入口１０を介してカードリーダライタ９に挿入され、キーボード７のキーの押下により暗証番号が入力され、バーコード読取窓１２を介してバーコード読取装置１１により売上商品に付されたバーコードの読み取りによる売上処理がなされるが、これらの作業がバーコード読取装置１１とカードリーダライタ９とキーボード７と表示部４とが一体化されたＩＣカードリードライト用携帯端末１により実行される。したがって、売上処理の作業の簡便化が図られて入力ミスが防止されるので、効率良く確実に売上処理がなされる。【選択図】    図１  
2004227607.tif 000002
【特許請求の範囲】
【請求項１】
コードシンボルを光学的に読み取るために本体下面の先端部に形成されたコード読取装置と、
ＩＣカードに対するデータの読み込みや書き込みを実行するＩＣカードリーダライタと、
所定の信号が各々設定された複数のキーを配列して選択的に信号を入力するキーボードと、
前記キーボードの入力信号およびコード読取装置からの読み取られた取引情報を表示する表示部と、
を一体に備え、
前記ＩＣカードリーダライタを前記表示部と前記コード読取装置の間に形成したことを特徴とするＩＣカードリードライト用携帯端末。
【請求項２】
前記ＩＣカードは、前記本体の先端部に形成されたＩＣカード挿入口から前記表示部と平行に挿入されることを特徴とする請求項１記載のＩＣカードリードライト用携帯端末。
【発明の詳細な説明】
【技術分野】
【０００１】
本発明は、例えば電子マネーとして機能するＩＣカードで決済を行なうために用いられるＩＣカードリードライト用携帯端末に関する。
【背景技術】
【０００２】
今日、現金の代わりにカードによって決済する手法が広く知られている。特に電子的に即時決済することができるＩＣカードは、今後急速に普及していく見込である。従来、カード決済になじみにくかった例えばスーパーマーケット等での小口の買物が便利になるうえに小銭を用意する必要もなくなるので、顧客・店舗双方にとっては大きなメリットが生じるものである。このようなＩＣカードに記憶された金額等の情報の読み取りや書き込みを行なうものの１つに、ＰＯＳ端末等の外部機器と接続して使用するＩＣカードリードライト用携帯端末であるハンディターミナルがある。（例えば、特許文献１。）
【０００３】
このようなハンディターミナルの従来例を図５に基づいて以下に説明する。図５に示すように、ハンディターミナル３０の本体ケース３１の表面には、液晶ディスプレイ（ＬＣＤ（Ｌｉｑｕｉｄ  Ｃｒｙｓｔａｌ  Ｄｉｓｐｌａｙ））である表示部３２と、複数のキーで構成されるファンクションキー３３とテンキー３４とを含むキーボード３５とが順に設けられている。また、本体ケース３１の表示部３２近傍の先端部には、ＩＣカード３６の読み込みと書き込みとを行なうカードリーダライタ（図示せず）へＩＣカード３６を挿入するためのＩＣカード挿入口３７が形成されている。
【０００４】
このような構成において、ハンディターミナル３０による売上処理について説明する。このハンディターミナル３０では、まず、顧客は手渡されたハンディターミナル３０のＩＣカード挿入口３７からカードリーダライタにＩＣカード３６を挿入し、キーボード３５のテンキー３４の押下により暗証番号を入力する。その後、売上商品の売上金額をキーボード３５のテンキー３４の入力により、商品の売上処理がなされる。
【０００５】
【特許文献１】特開平１１−１６１７４９号公報
【発明の開示】
【発明が解決しようとする課題】
【０００６】
ところが、売上金額を売上商品の単品毎に入力する場合には、売上金額を売上商品の数だけ繰り返し入力しなければならない。このために、特に売上商品の数が多い場合には、売上金額の入力に長時間を要するとともに、売上金額の入力ミスの発生の確率も高くなってしまうという問題がある。
【０００７】
本発明の目的は、売上金額の入力等の売上処理の作業の簡便化を図り、入力ミスを防止することにより、効率良く確実に売上処理がなされるＩＣカードリードライト用携帯端末を得ることである。
【課題を解決するための手段】
【０００８】
請求項１記載の発明は、コードシンボルを光学的に読み取るために本体下面の先端部に形成されたコード読取装置と、ＩＣカードに対するデータの読み込みや書き込みを実行するＩＣカードリーダライタと、所定の信号が各々設定された複数のキーを配列して選択的に信号を入力するキーボードと、前記キーボードの入力信号およびコード読取装置からの読み取られた取引情報を表示する表示部と、を一体に備え、前記ＩＣカードリーダライタを前記表示部と前記コード読取装置の間に形成した。
【０００９】
また、請求項２記載の発明は、請求項１記載のＩＣカードリードライト用携帯端末において、ＩＣカードは、前記本体の先端部に形成されたＩＣカード挿入口から前記表示部と平行に挿入されることを特徴としたものである。
【発明の効果】
【００１０】
請求項１記載の発明は、コード読取装置とカードリーダライタとキーボードと表示部とが一体化されたＩＣカードリードライト用携帯端末である。これによれば、例えば店舗等での決済について顧客がＩＣカードを利用する際には、コード読取装置とカードリーダライタとキーボードと表示部とを一体化したＩＣカードリードライト用携帯端末のみで売上処理作業を実行するため、作業の簡便化を図ることができ、入力ミスを防止することができるので、効率良く確実に売上処理をすることができる。
【００１１】
また、請求項２記載の発明によれば、請求項１記載のＩＣカードリードライト用携帯端末において、ＩＣカードは、ＩＣカード挿入口から本体内部に表示部と平行に挿入されたままの状態でコードシンボルの読取を行うことができることから、売上処理の作業の簡便化が図られ入力ミスが防止されるので、効率良く確実に売上処理をすることができる。
【発明を実施するための最良の形態】
【００１２】
本発明の実施の一形態を図１ないし図４に基づいて説明する。本実施の形態のＩＣカードリードライト用携帯端末は、例えば、店舗等での決済について顧客がＩＣカードを利用する際、その顧客が自ら操作するハンディターミナルとして適用されている。ここで、図１（ａ）はハンディターミナル１を示す外観斜視図、図１（ｂ）は裏返しにしたハンディターミナル１を示す外観斜視図、図２はハンディターミナル１の一部を概略的に示す縦断側面図である。本体ケース２の上面には、液晶ディスプレイ３が配設された表示部４と、複数のキーで構成されるファンクションキー５とテンキー６とを含むキーボード７とが順に設けられている。このキーボード７には、ここでは図示しないが、送信キーや締めキーも備えられている。また、本体ケース２の表示部４近傍の先端部には、電子マネーとしての保留金額を記憶する不揮発性メモリを内蔵したＩＣカード８の読み込みと書き込みとを実行するカードリーダライタ９へＩＣカード８を挿入するためのＩＣカード挿入口１０が形成されている。さらに、本体ケース２の下面の先端部には、コード読取装置であるバーコード読取装置１１を内蔵してバーコードを読み取るバーコード読取窓１２が形成されている。ここで、バーコード読取装置１１は、ＬＥＤ（Ｌｉｇｈｔ  Ｅｍｉｔｔｉｎｇ  Ｄｉｏｄｅ）アレイを光源とし、この光源によって照らされたバーコードをＣＣＤ（Ｃｈａｒｇｅ  Ｃｏｕｐｌｅｄ  Ｄｅｖｉｃｅ）で受光して読み取るものである。また、本体ケース２の下面の略中央には、ここでは図示しないＰＯＳ端末等の外部機器と各種データを無線通信するための赤外線通信インタフェース（以下、赤外線通信Ｉ／Ｆとする）１３を内蔵する赤外線通信部１４が配設されている。この赤外線通信部１４と同様の赤外線通信部がＰＯＳ端末等の外部機器にも配設されていることを条件として無線通信が可能になる。赤外線通信Ｉ／Ｆ１３はＬＥＤと受光素子とで構成されていて、その表面にはＬＥＤから発光される光のみを受け付けるフィルタが取り付けられている。加えて、本体ケース２の側縁部の略中央には、バーコード読取装置１１の駆動スイッチ１５が設けられている。
【００１３】
次に、ハンディターミナル１に内蔵された各部の電気的接続を図３に基づいて説明する。ハンディターミナル１は、マイコン１６を内蔵し、このマイコン１６が各部を駆動制御する。マイコン１６は、各部を集中的に制御するＣＰＵ１７に、アドレスバス、データバス等のバスライン１８を介して、制御プログラムや商品マスタファイル等の固定的データを予め格納するＲＯＭ１９及び各種データを書き換え自在に格納するＲＡＭ２０が接続されて構成されている。このＲＡＭ２０は、ワークエリア等の機能を果たすものである。
【００１４】
ＲＯＭ１９に格納される商品マスタファイルは、特に図示しないが、商品の商品コード毎に商品名、商品単価等を対応付けて記憶保持するファイル構造を備えるものである。
【００１５】
また、ＲＯＭ１９には制御プログラムが格納されているので、ハンディターミナル１の起動時、ＲＯＭ１９に格納された制御プログラムがＲＡＭ２０に書き込まれ、これによってマイコン１６による各部の駆動制御が可能な状態となる。マイコン１６によって駆動制御される各部を次に説明する。
【００１６】
液晶ディスプレイ３は、表示コントローラ２１を介してバスライン１８に接続され、マイコン１６からの表示データが表示コントローラ２１に入力されると、表示コントローラ２１に駆動されて所定事項を表示する。
【００１７】
キーボード７は、キーボードコントローラ２２を介してバスライン１８に接続され、キーボードコントローラ２２の動作によって押下されたキーに応じた信号をマイコン１６に入力する。
【００１８】
カードリーダライタ９は、リーダライタコントローラ２３を介してバスライン１８に接続され、マイコン１６からの信号がリーダライタコントローラ２３に入力されると、信号に応じたデータをＩＣカード８に書き込む。また、リーダライタコントローラ２３の動作によって読み取ったＩＣカード８のデータに応じた信号をマイコン１６に入力する。
【００１９】
バーコード読取装置１１は、読取コントローラ２４を介してバスライン１８に接続され、読取コントローラ２４の動作によって、読み取ったバーコードのデータをマイコン１６に出力する。
【００２０】
赤外線通信Ｉ／Ｆ１３は、バスライン１８に接続され、マイコン１６によって駆動制御される。
【００２１】
ここで、ＲＯＭ１９に格納された制御プログラムがマイコン１６に実行させる機能について説明する。従来のハンディターミナルによって行なわれる処理と同様の機能についての説明は省略し、本発明での特長的な機能である売上処理の流れを以下に説明する。
【００２２】
図４は、売上処理の流れを概略的に示すフローチャートである。まず、ステップＳ１において、カードリーダライタ９へのＩＣカード８の挿入が検知されるまで待機する。店舗において顧客がＩＣカード８で支払いを行なう際には、店員から顧客にハンディターミナル１が手渡され、その後、顧客が手渡されたハンディターミナル１のＩＣカード挿入口１０からカードリーダライタ９にＩＣカード８を挿入することにより、カードリーダライタ９の図示しないセンサにおいてＩＣカード８の挿入が検知される（ステップＳ１のＹ）。
【００２３】
次いで、キーボード７のテンキー６の押下により正しい暗証番号が入力されるまで待機する（ステップＳ２）。暗証番号が入力されると（ステップＳ２のＹ）、顧客自らの購入商品の買上げ作業によって、商品の売上処理がなされる。
【００２４】
顧客の買上げ作業による商品の売上処理としては、まず、駆動スイッチ１５の押下によるバーコード読取装置１１での商品コードの読み取りやテンキー６による売上数量の入力等の商品売上データの入力が有るまで待機する（ステップＳ３）。商品売上データの入力が有ったと判断されると（ステップＳ３のＹ）、入力された商品売上データの商品コードに基づいて商品マスタファイルが検索されて商品名や商品単価を得ることにより売上内容がＲＡＭ２０に登録され、その商品単価等の取引情報が液晶ディスプレイ３に表示される（ステップＳ４）。さらに商品の売上登録が続く場合には（ステップＳ５のＮ）、ステップＳ３〜Ｓ４の処理が繰り返される。
【００２５】
ステップＳ３〜Ｓ４の処理は、図示しない締めキーが押下されたと判断される迄（ステップＳ５のＹ）、繰り返される。締めキーの押下があったと判断されると（ステップＳ５のＹ）、売上合計金額が算出されて、液晶ディスプレイ３に表示される（ステップＳ６）。この液晶ディスプレイ３に売上合計金額が表示されるので、この表示を見ながら顧客は金額確認をする。
【００２６】
その後、カードリーダライタ９内のＩＣカード８の保留金額が売上合計金額分だけ減算更新され（ステップＳ７）、ＲＡＭ２０に登録された売上内容が送信キーの押下により赤外線通信部１４を介してＰＯＳ端末等の外部機器に無線送信されて（ステップＳ８）、処理が終了する。なお、売上内容が送信されたＰＯＳ端末等では、その売上内容に基づいたレシートが発行される。
【００２７】
ここに、店舗での決済について顧客がＩＣカード８を利用する際には、ＩＣカード８がカードリーダライタ９に挿入され、キーボード７のテンキー６の押下により暗証番号が入力され、バーコード読取装置１１により売上商品に付されたバーコードの読み取りに基づいて売上処理がなされるが、これらの作業がキーボード７とカードリーダライタ９とバーコード読取装置１１との各部を一体化したハンディターミナル１により実行される。これにより、バーコード読取装置１１で売上商品に付されたバーコードを読み取り売上処理がされるので、売上商品の単品毎の金額の手入力が不要とされることにより、売上処理の作業の簡便化が図られて入力ミスが防止され、効率良く確実に売上処理をすることができる。
【００２８】
また、売上内容が、外線通信部１４を介してＰＯＳ端末等の外部機器に無線送信されるので、結線作業が不要とされるとともにその場での送信が可能となることにより、データの送受信作業の簡便化を図ることができる。
【００２９】
なお、本実施の形態においては、コード読取装置としてバーコードを読取対象のコードシンボルとするバーコード読取装置１１に適用したが、これに限るものではなく、データコード等の二次元コードを読取対象のコードシンボルとする二次元コード読取装置等に適用しても良い。  
【図面の簡単な説明】
【００３０】
【図１】（ａ）は本発明の実施の一形態のハンディターミナルを示す外観斜視図、（ｂ）は裏返しにしたハンディターミナルを示す外観斜視図である。
【図２】ハンディターミナルの一部を概略的に示す縦断側面図である。
【図３】ハンディターミナルに内蔵された各部の電気的接続を示すブロック図である。
【図４】売上処理の流れを概略的に示すフローチャートである。
【図５】従来のハンディターミナルの一例を示す外観斜視図である。
【符号の説明】
【００３１】
４      表示部
７      キーボード
８      ＩＣカード
９      カードリーダライタ
１０      ＩＣカード挿入口
１１      コード読取装置
【図１】
2004227607.tif 000003
【図２】
2004227607.tif 000004
【図３】
2004227607.tif 000005
【図４】
2004227607.tif 000006
【図５】
2004227607.tif 000007